(57)【要約】【課題】商品を包装するパッケージを開封した後、パッケージを被収納体のスタンドとして再利用できる展示保持機能を奏する収納体を提供する。【解決手段】本発明の卓上スタンド機能を具えた収納体１は、例えば基板部４と、この基板部４に対向して設けられる覆体部５と、こられの間に設けられる妻板６及びフラップ７とを具えて成り、これらが連設された一枚のブランクシートを適宜折り曲げ、組み立てることによって、接着剤や両面テープ等の接合媒体を一切使用することなく、封緘部を除く全ての部位が成形されてパッケージ状態を得るものであり、この収納体１は、その一部または別部材によって構成されるループ状支持構造を成すスタンド片２と、被収納体Ａを自立状態で保持できる展示保持片３等の自立保持構造とを具え、これらを収納体１と結合させることによって卓上スタンドとしての展示保持状態を得るようにしたことを特徴とする。【選択図】      図１
2004189330.tif 000002
【特許請求の範囲】
【請求項１】
蓋と本体とを一体に具える収納体において、
前記収納体は、所定形状にブランク取りされた一枚のブランクシートを適宜折り曲げ、組み立てることによって、接着剤や両面テープ等の接合媒体を一切使用することなく、封緘部を除く全ての部位が成形されてパッケージ状態を得るものであり、
またこの収納体は、その一部または別部材によって構成されるループ状支持構造を成すスタンド片と、被収納体を自立状態で保持できる自立保持構造とを具え、これらを収納体と結合させることによって卓上スタンドとしての展示保持状態を得るようにしたことを特徴とする卓上スタンド機能を具えた収納体。
【請求項２】
前記スタンド片は、収納体の裏面に係止され、この状態において収納体とともに略三角形断面のループ状構造を形成するとともに、スタンド片の高さ寸法は、卓上スタンドとしての使用に耐え得るのに充分な高さに設定されており、なお且つ、収納体との係止部が下広がりのハの字状となるように構成され、載置底部を幅広状とすることでループ状支持構造を形成したことを特徴とする請求項１記載の卓上スタンド機能を具えた収納体。
【請求項３】
前記収納体は、基板部と、この基板部に対向して設けられる覆体部と、これらの間に設けられる妻板及びフラップとを具え、これらによって取り囲まれて成る収納部に、被収納体を収容した状態で封緘されるものであり、
前記覆体部は、ブランク状態において基板部の上下に二分割するように形成され、このうち上側の覆体部は、開閉自在に構成され、実質的に蓋として機能する開閉覆体部であり、その端縁部に係合舌片が設けられるものであり、
一方、スタンド片には、この係合舌片を受け入れ得る係合スリットが形成され、
収納体をパッケージ状態から展示保持状態にする際には、開閉覆体部を背面側に反転させ、係合舌片をスタンド片の係合スリットに差し込み、開閉覆体部を除き実質的に本体として機能する収納体と、スタンド片と、開閉覆体部との一体化を図るようにしたことを特徴とする請求項１または２記載の卓上スタンド機能を具えた収納体。
【請求項４】
前記被収納体は、主に見開き状態で使用される冊子状のものであり、前記自立保持構造は、被収納体を展示状態で保持できる展示保持片によって少なくともその一部が構成されており、
この展示保持片は、展示保持状態において収納体の正面側に取り付けられ、この取付状態で収納体の正面側とともに略三角形のループ状断面を形成するものであり、
また展示保持片は、展示保持した被収納体の左右両端の下部を保持する保持爪と、収納体と展示保持片との間に被収納体を導く挟持ガイドが形成されて成り、
且つまた展示保持片には、上部にペンホルダ部が形成されて成ることを特徴とする請求項１、２または３記載の卓上スタンド機能を具えた収納体。
【請求項５】
前記被収納体は、主にカードタイプのものであり、
前記収納部には、被収納体とスタンド片の他に、少なくとも被収納体を保持する被収納体フレームと、収納部の正面側に設けられ被収納体フレームを展示保持するアダプタ片が収容されるものであり、
これら被収納体フレームとアダプタ片は、実質的に自立保持構造あるいはその一部を形成するものであり、
このうちアダプタ片は、被収納体フレームを縦位置と横位置とで選択して取り付けることができ、載置面に対して接地した状態で設けられるようにしたことを特徴とする請求項１、２、３または４記載の卓上スタンド機能を具えた収納体。
【請求項６】
前記被収納体は、収納部において自立状態で展示保持される棒状の部材であり、
前記収納部には、被収納体とスタンド片の他に、少なくとも収納部を幅方向において複数のセルに区分する蛇腹状の仕切壁が収容されるものであり、
この仕切壁は、実質的に自立保持構造あるいはその一部を形成するものであり、セルの奥行き寸法が、収納部の奥行き寸法とほぼ一致するように設定されるとともに、セルのピッチが被収納体を直立状態で維持できるような間隔に設定されることを特徴とする請求項１、２、３または４記載の卓上スタンド機能を具えた収納体。
【請求項７】
基板部と、この基板部に対向して設けられる覆体部とを具え、これらによって被収納体を挟み込んだ状態で封緘するようにした収納体において、
前記収納体は、基板部を自立傾斜状態に支持するスタンド片と、被収納体を展示状態に保持する展示保持片とを具え、
被収納体を展示保持するにあたっては、基板部の背面側にスタンド片を取り付け、基板部とスタンド片とによってループ状支持構造を形成するとともに、基板部の正面側に展示保持片を取り付け、基板部と展示保持片とによってループ状断面を構成するようにしたことを特徴とする卓上スタンド機能を具えた収納体。
【発明の詳細な説明】
【０００１】
【発明の属する技術分野】
本発明は、例えば冊子型カレンダー、ダイアリー、カード等の商品を包装する際のパッケージとして機能するとともに、開封後これら被収納体を取り出した後に、このパッケージを被収納体のスタンドとして再利用できる展示保持機能をも奏する、卓上スタンド機能を具えた収納体に関するものである。
【０００２】
【発明の背景】
店頭には種々の形状や大きさの商品があるが、これらの商品は、その形状を整えたり、荷崩れを防止したり、あるいは効率良く保管、運搬する目的から、また外部からの埃の進入や光に当たることによる品質劣化等を防止する目的等から、パッケージに収納された状態で市場に流通している。
更に近年では上記機能的側面に加え、商品のイメージアップや購買意欲を得る目的でデザイン的処理が施された種々のパッケージが登場し、店頭を賑わせ、華やかにしている。
【０００３】
このようなパッケージを生産プロセスからみると、無駄のない効率的なブランク取りができること、接着剤による糊付けや接着テープの貼付、あるいはステープラ等の接合金具の取り付けに伴う組立工数の少ないことが望ましい。
またパッケージの原材料となるブランク用紙等の厚さが０．４ｍｍ以下の比較的薄口のものであれば、一般的に広く普及している通常の印刷機械によって印刷できるが、０．４ｍｍを越えるような厚口のものであれば、厚口用紙等にも対応できる専用の印刷機械を使用しなければならず、コストの上昇を招いてしまう。
従って、近年では印刷コストの比較的安価な０．４ｍｍ程度以下の薄口の用紙等を使用して、一枚のブランクシートから収納部分（本体）と蓋とを一体に具えるように組み立てられる種々の形状、大きさ、デザインのパッケージが出現してきている。
【０００４】
一方、パッケージの使用プロセスからみると、例えば絵葉書に代表されるフォトカードや卓上カレンダーを収納ケースに包装している場合、これらを個装している収納ケースの一部を利用して、その後、卓上スタンドとして再利用できるものが存在している。しかしながら、このような従来の収納ケースは、上述したように薄口の素材を使用していることに因み、強度的に弱く、例えば被収納体が卓上カレンダーであっても、スタンドの方が一年間にわたる長期の使用に耐えられない構造のものが多いという問題があった。
またスタンド機能を有した収納ケースは、卓上スタンドとしたときの重心の位置が比較的高い位置にあるため、背面側から吹き付ける風によって前方に倒れやすいという不都合も度々生じていた。
更に、パッケージの廃棄プロセスからみると、ステープラ等の接合金具を使用したものはパッケージを廃棄する場合、分別作業（分離作業）が必要になることも多く、これが大変煩わしい作業となっていた。
【０００５】
【開発を試みた技術的課題】
本発明は、このような背景を認識してなされたものであって、無駄のない効率的なブランク取りができ、しかも接合媒体を何ら使用することなく、簡単にパッケージを組み立てることができ、しかも薄口の用紙等を使用しても卓上スタンドとしての長期にわたる使用に充分耐えられる頑強な構造を有し、更に平面的な被収納物に限らず、冊子状の少し肉厚なものや更に肉厚の立体的な被収納体をも収容できる、卓上スタンド機能を具えた新規な収納体の開発を試みたものである。
【０００６】
【課題を解決するための手段】
すなわち請求項１記載の卓上スタンド機能を具えた収納体は、蓋と本体とを一体に具える収納体において、前記収納体は、所定形状にブランク取りされた一枚のブランクシートを適宜折り曲げ、組み立てることによって、接着剤や両面テープ等の接合媒体を一切使用することなく、封緘部を除く全ての部位が成形されてパッケージ状態を得るものであり、またこの収納体は、その一部または別部材によって構成されるループ状支持構造を成すスタンド片と、被収納体を自立状態で保持できる自立保持構造とを具え、これらを収納体と結合させることによって卓上スタンドとしての展示保持状態を得るようにしたことを特徴として成るものである。
この発明によれば、商品を包装する収納体に対し、本来のパッケージ機能の他、卓上スタンドとしての機能を付加できる。このため収納体は、包装時のケース状態から、被収納体を展示する際のスタンド状態に形状が変化する意外性を奏する。また収納体は適宜打ち抜かれたブランク材を出発素材とし、これを適宜折り曲げてパッケージ状態や展示保持状態に組み立てられるため、収納体の材料、組立、印刷コストの削減に寄与する。更にスタンド片は、ループ状支持構造を採るため、汎用印刷機による印刷を考慮して、収納体（ブランク材）に、例えば０．４ｍｍ以下程度の薄口用紙等を使用しても、展示保持状態におけるスタンド構造が頑強となり、一年にわたる長期の使用に充分耐えられる。また紙製のブランク材を適用すれば、廃棄の際も極めて簡便に処理できる。
【０００７】
また請求項２記載の卓上スタンド機能を具えた収納体は、前記請求項１記載の要件に加え、前記スタンド片は、収納体の裏面に係止され、この状態において収納体とともに略三角形断面のループ状構造を形成するとともに、スタンド片の高さ寸法は、卓上スタンドとしての使用に耐え得るのに充分な高さに設定されており、なお且つ、収納体との係止部が下広がりのハの字状となるように構成され、載置底部を幅広状とすることでループ状支持構造を形成したことを特徴として成るものである。
この発明によれば、スタンド片は、載置底部が取り付け状態で幅広状になる略三角形状のループ状支持構造を成すため、スタンド片の強度が更に増し、より安定したスタンディング状態を得ることができる
【０００８】
更にまた請求項３記載の卓上スタンド機能を具えた収納体は、前記請求項１または２記載の要件に加え、前記収納体は、基板部と、この基板部に対向して設けられる覆体部と、これらの間に設けられる妻板及びフラップとを具え、これらによって取り囲まれて成る収納部に、被収納体を収容した状態で封緘されるものであり、前記覆体部は、ブランク状態において基板部の上下に二分割するように形成され、このうち上側の覆体部は、開閉自在に構成され、実質的に蓋として機能する開閉覆体部であり、その端縁部に係合舌片が設けられるものであり、一方、スタンド片には、この係合舌片を受け入れ得る係合スリットが形成され、収納体をパッケージ状態から展示保持状態にする際には、開閉覆体部を背面側に反転させ、係合舌片をスタンド片の係合スリットに差し込み、開閉覆体部を除き実質的に本体として機能する収納体と、スタンド片と、開閉覆体部との一体化を図るようにしたことを特徴として成るものである。
この発明によれば、展示保持状態においては開閉覆体部を収納体の背面側に反転させスタンド片に固定するため、収納体の背面部（基板部）と、スタンド片と、開閉覆体部とが一体化され、スタンドとしての構造的な強度を、より一層強化できる。
【０００９】
また請求項４記載の卓上スタンド機能を具えた収納体は、前記請求項１、２または３記載の要件に加え、前記被収納体は、主に見開き状態で使用される冊子状のものであり、前記自立保持構造は、被収納体を展示状態で保持できる展示保持片によって少なくともその一部が構成されており、この展示保持片は、展示保持状態において収納体の正面側に取り付けられ、この取付状態で収納体の正面側とともに略三角形のループ状断面を形成するものであり、また展示保持片は、展示保持した被収納体の左右両端の下部を保持する保持爪と、収納体と展示保持片との間に被収納体を導く挟持ガイドが形成されて成り、且つまた展示保持片には、上部にペンホルダ部が形成されて成ることを特徴として成るものである。
この発明によれば、自立保持構造の一構成部材として、少なくとも展示保持片を採用するため、冊子状の被収納体を見開き状態で展示保持することができる。また展示保持片には、挟持ガイドが形成されているため被収納体の受け入れが確実且つ容易に行える。更に展示保持片は、収納体の正面側に略三角形のループ状に取り付けられるため、スタンドとしての収納体に背面から風が吹き込んでも、前側への倒れを効果的に防止できる。また展示保持片にペンホルダ部を形成するため、被収納体がカレンダー等、スケジュールや期限（納期）等を記入するものである場合に、必要に応じて即、記入でき、スタンドとしての利便性を更に向上させる。また展示保持片は、略三角形状に取り付けられるため、ユーザがスタンドを正面から見た場合、略ハート型を想起させ、デザイン的な面白さを奏する。
【００１０】
また請求項５記載の卓上スタンド機能を具えた収納体は、前記請求項１、２、３または４記載の要件に加え、前記被収納体は、主にカードタイプのものであり、前記収納部には、被収納体とスタンド片の他に、少なくとも被収納体を保持する被収納体フレームと、収納部の正面側に設けられ被収納体フレームを展示保持するアダプタ片が収容されるものであり、これら被収納体フレームとアダプタ片は、実質的に自立保持構造あるいはその一部を形成するものであり、このうちアダプタ片は、被収納体フレームを縦位置と横位置とで選択して取り付けることができ、載置面に対して接地した状態で設けられるようにしたことを特徴として成るものである。
この発明によれば、自立保持構造の一構成部材として、少なくともアダプタ片を採用するため、展示保持片の保持部よりも幅寸法の短い被収納体でも展示することができる。またアダプタ片は載置面に接地するように取り付けられるため、耐荷重やスタンディング状態の安定性等が向上する。更にカードタイプの被収納体は、縦位置でも横位置でも使用できる。またアダプタ片と被収納体フレームを両面テープで固定すれば、スタンドとしての強度や安定性を更に強化できる。
【００１１】
また請求項６記載の卓上スタンド機能を具えた収納体は、前記請求項１、２、３または４記載の要件に加え、前記被収納体は、収納部において自立状態で展示保持される棒状の部材であり、前記収納部には、被収納体とスタンド片の他に、少なくとも収納部を幅方向において複数のセルに区分する蛇腹状の仕切壁が収容されるものであり、この仕切壁は、実質的に自立保持構造あるいはその一部を形成するものであり、セルの奥行き寸法が、収納部の奥行き寸法とほぼ一致するように設定されるとともに、セルのピッチが被収納体を直立状態で維持できるような間隔に設定されることを特徴として成るものである。
この発明によれば、自立保持構造の一構成部材として、少なくとも仕切壁を採用するため、棒状の被収納体の側面が保持され、被収納体の直立姿勢を確実に維持できる。また仕切壁は、蛇腹状であるため、収納体、特に梱包時の荷姿時の強度をアップさせることができる。
【００１２】
また請求項７記載の卓上スタンド機能を具えた収納体は、基板部と、この基板部に対向して設けられる覆体部とを具え、これらによって被収納体を挟み込んだ状態で封緘するようにした収納体において、前記収納体は、基板部を自立傾斜状態に支持するスタンド片と、被収納体を展示状態に保持する展示保持片とを具え、被収納体を展示保持するにあたっては、基板部の背面側にスタンド片を取り付け、基板部とスタンド片とによってループ状支持構造を形成するとともに、基板部の正面側に展示保持片を取り付け、基板部と展示保持片とによってループ状断面を構成するようにしたことを特徴として成るものである。
この発明によれば、必ずしも収納体をケース状に形成する必要がなく、例えば覆体部をフィルム素材で形成しながらも、基板部の安定したスタンディング状態を得ることができる。
【００１３】
【発明の実施の形態】
以下本発明を図示の実施の形態に基づいて説明する。本発明の収納体１は、例えば店頭等において商品となる被収納体Ａのイメージアップや消費者の購買意欲を高める目的で施されるパッケージであるが、これを開封し被収納体Ａを取り出した後は、この収納体１をスタンドとして再利用し、被収納体Ａを展示状態で保持できるものである。因みに、被収納体Ａを収納体１に収容したパッケージ状態を、一例として図１（ａ）に示すものであり、また収納体１をスタンドとして再利用し、冊子型カレンダー等の被収納体Ａを傾斜状態（立て掛け状態）で保持した展示保持状態を図１（ｂ）に示すものである。なお収納体１は、図１（ａ）のパッケージ状態で、被収納体Ａを郵便小包や宅配によって配送する際の配送筐体としても使用できる。このように本発明の収納体１は、パッケージ機能と、展示保持機能とを併せ持つものである。
【００１４】
そして、収納体１は、中に入れる被収納体Ａによって、種々異なった形態が採り得るものであり、以下に示す実施の形態１〜３を基本的な実施の形態として説明する。まず冊子状のカレンダー、ダイアリー等を収容する収納体１として使用する場合を実施の形態１、フォトカードやポストカード等を収容するカードケースとして収納体１を使用する場合を実施の形態２、ペンや鉛筆等の棒状部材を直立状態で収容する場合を実施の形態３とする。また、この基本的な実施の形態では、収納体１は一枚のブランクシートから図１（ａ）に示すような、箱型のパッケージ状態に形成され、ここに被収納体Ａを収めるものである。なお被収納体Ａが収容される部分を収納部Ｓとする。またブランクシートからパッケージ状態の収納体１を形成する工程、及びこれを展示保持状態（スタンド状態）に形成する工程においては、極力、接着剤、接着テープ、ステープラ等の接合・接着手段を使わずに組み立てることが好ましく、ここでは、被収納体Ａを入れ込んだ後に収納体１を最終的に封緘するときのみシールＳＥを使用するものである。
【００１５】
（１）実施の形態１
この形態は、上述したように、主に冊子状の被収納体Ａを収容する形態であり、ここでの冊子状の被収納体Ａには、冊子状カレンダー、ダイアリー等の他、一枚ではあるが、見開き状態で使用し、折り曲げた状態で収納されるものも含むものである。またこの形態における、被収納体Ａ以外の基本的な構成要素は、一例として図１（ｂ）に示すように、収納体１と、収納体１を傾斜状態で支持するスタンド片２と、被収納体Ａを見開き状態で保持する自立保持構造の一例である展示保持片３である。
【００１６】
〔１〕ブランクシート
収納体１は、上述したように、予め一定形状に打ち抜かれた紙製や樹脂製のブランクシートを出発素材とするため、まずこのブランク材Ｂについて説明する。また、このものをパッケージ状態に組み立てたり、この状態から更に展示保持状態に組み替えたりする際には、素材に極力、接合・接着手段を施すことなく作業を行うことがコスト面や能率面等において好ましいため、ブランク材Ｂは、一例として図２の展開図に示すように、適宜爪状の舌片やこれに係合するスリットが多数形成される。なお、図示したブランク材Ｂは、各構成要素の裏面側、すなわち収納体１においては収納部Ｓの内側から見た状態を示している。
【００１７】
収納体１は、被収納体Ａを包装するものであるため、それ自体で被収納体Ａを保護するだけの強度や剛性を有するものであるが、強度を追求するあまり板厚を過剰に厚くすると、通常の汎用印刷機では収納体１の表面に所望の印刷が行えないことが懸念されるため、ここでは０．４ｍｍ以下の板厚のものを適用するものである。そしてブランク状の収納体１は、収納部Ｓの基本的な構成要素となる基板部４と、パッケージ状態において基板部４に対向して設けられる覆体部５と、基板部４や覆体部５の周囲に設けられ、収納部Ｓの厚み部分を形成する妻板６及びフラップ７とを具えて成り、これらが折れ線Ｌを介して連設されている。以下、覆体部５、妻板６、フラップ７について主に説明する。
【００１８】
まず覆体部５について説明する。このものは、本実施の形態ではブランク状態において基板部４の上下に二分割するように形成されており、下側のものがパッケージ状態において基板部４に沿って固定状態に設けられ（これを固定覆体部５Ａとする）、上側のものが収納部Ｓの開閉蓋部となり、ここから被収納体Ａの出し入れ（ユーザとしては取り出しのみ）が行えるように形成される（これを開閉覆体部５Ｂとする）。すなわち開閉覆体部５Ｂが、被収納体Ａを包装した収納体１を閉鎖する実質的な封緘部に相当する。なお収納部Ｓを閉鎖するには、開閉覆体部５Ｂを固定覆体部５Ａ側に回転させ、最終的に両端縁同士を幾分重ね合わせた状態で閉鎖するため、開閉覆体部５Ｂには端縁中央部に係合舌片５１が形成されるとともに、固定覆体部５Ａには、この舌片を受け入れる係合スリット５２が形成される。ここで固定覆体部５Ａに係合スリット５２が二カ所形成されているのは、肉厚の薄い被収納体Ａを収容した場合のためであり、これについては後述する。なおこの二つの係合スリット５２を特に区別する場合には、パッケージ状態で上側に形成されるものを係合スリット５２Ａ、下側に形成されるものを係合スリット５２Ｂとする。
【００１９】
またここでは基板部４は横長の長方形状であり、一方、二つの覆体部５は重ね合わせ端縁部が斜めに形成された台形状であるが、これらは種々の形状が採り得るものである。因みに覆体部５の重ね合わせ端縁部を傾斜状態（特にパッケージ状態の収納体１を開放するユーザにとっては右下がり）に形成したのは、デザイン面の考慮と、ユーザが容易に被収納体Ａを取り出せるようにしたためである。
【００２０】
次に妻板６とフラップ７について説明する。種々の妻板６のうち、パッケージ状態において収納部Ｓの底部を形成するものを底部妻板６Ａとし、このものの左右に形成されるフラップ７を下端部フラップ７Ａとする。そして収納部Ｓの左右両サイド（底部）を形成するにあたっては、例えば下端部フラップ７Ａを最も内側に入れ込み、その上に基板部４側の妻板６を重ねた後、更にその上に固定覆体部５Ａ側の妻板６を重ねるものである。このため、収納部下側における基板部４側の妻板６を保型内妻板６Ｂ、固定覆体部５Ａ側の妻板６を保型外妻板６Ｃとするものである。また保型外妻板６Ｃには図２のブランク状態において左右に突出する係止舌片６１が形成されるとともに、保型内妻板６Ｂには係止スリット６２が形成され、係止舌片６１を係止スリット６２に外側から差し込むことで、両妻板６が固定され、収納部Ｓの両サイドの形状が維持されるものである。またこのようなことに因み、収納部Ｓの両サイド部分を形成する妻板６には「保型」という用語を付したものである。
【００２１】
なお係止舌片６１は、係止スリット６２に容易に差し込めるように舌片先端の両角部がＲ状に形成されている。また係止舌片６１は、長さが係止スリット６２よりも長く設定されるとともに、舌片根元に抜止用スリット６３が形成されている。このため、一旦、係止舌片６１を係止スリット６２に嵌め込んだ後には、係止舌片６１が不用意に抜けてしまうことがなく、収納部Ｓの両サイド部形状を長期にわたって維持するものである。なおこのような係止構造は、保型内妻板６Ｂと保型外妻板６Ｃとの係止状態が、パッケージ状態でも展示保持状態でも解除されることなく、そのまま維持されるために採られる構造である。
【００２２】
また保型内妻板６Ｂには係止スリット６２の延長上に折れ線Ｌ１が形成されるとともに、保型外妻板６Ｃには抜止用スリット６３の延長上に折れ線Ｌ２が形成され、被収納体Ａ等の収納物が比較的薄い場合に、これら折れ線Ｌ１、Ｌ２で保型内妻板６Ｂと保型外妻板６Ｃを折り曲げ、両方の妻板６を言わばギャザーのように収容部Ｓの内側に入れ込むようにし、収納部Ｓの厚さを薄くできるようにしたものである。
【００２３】
一方、開閉覆体部５Ｂを閉鎖したパッケージ状態において、収納部Ｓの天面部に相当する妻板６を天部妻板６Ｄとし、この左右両端に形成されるフラップ７を上端部フラップ７Ｂとする。そして開閉覆体部５Ｂを閉鎖する場合にも、この上端部フラップ７Ｂを最も内側に入れ込み、その上に基板部４側の妻板６を重ねるようにした後、更にその上側に開閉覆体部５Ｂの妻板６を重ねるものである。このため収納部上側における基板部４側の妻板６を内重ね妻板６Ｅ、開閉覆体部５Ｂの妻板６を外覆妻板６Ｆとする。
なお収納体１は、展示保持状態（スタンド状態）において、固定覆体部５Ａを正面側、基板部４を背面側と定義する。
また収納部Ｓは正面から見て横長の四角形（長方形）状であるが、正方形、円形、楕円形、多角形等適宜の形状が可能であり、また肉厚（奥行き）も、必ずしも薄くなくても良い。
【００２４】
次にスタンド片２について説明する。このものは、収納体１を展示保持状態で再利用する際、主に基板部４や固定覆体部５Ａから成る収納部Ｓを自立傾斜状態で支持するものである。スタンド片２は、一例として図２の展開図に示すように、ほぼ等脚台形状に打ち抜かれる板材であって、使用にあたっては、ほぼ中央の折れ線Ｌ３で折り曲げられ、左右の両端部を離反させた状態で基板部４に取り付けられる（図８参照）。このためスタンド片２は、取り付け状態において基板部４とともに略三角形状のループ状構造を成し、スタンドの強度を向上させるように構成されている。
なおスタンド片２によって自立状態に支持される収納体１の傾斜角度は、載置面（卓上面）と基板部４との成す角が６０〜７５度、好ましくは６７度程度（すなわち基板部４が鉛直方向から後方側に傾倒する角度が１５〜３０度、好ましくは概ね２３度程度）に設定される。
【００２５】
またスタンド片２は取り付け状態において安定した載置状態を得るため、底部（台形の下底に相当する部位）が、卓上に全体的に接地するように設定される。このため図２に示すブランク展開状態におけるスタンド片２の底部（台形の下底に相当する部位）も実際には直線ではなく、ほぼ中央から左右同程度ずつ傾斜した状態に形成されている。
またスタンド片２を基板部４に取り付けるにあたっては、舌片とスリットによる係止構造を採用するものである。具体的には、スタンド片２において基板部４に接触する脚部（等脚台形状の脚部）に、一例として半円状の係止舌片２１が形成され、一方の基板部４にはこれと係合するスリット（これをスタンド片係止スリット４１とする）が一例としてハの字状に形成される。なお、ここでもスタンド片２の係止舌片２１には、一旦嵌め込んだ後の抜け防止を図る抜止用スリット２２が、舌片の根元に形成されている。
【００２６】
更にまたスタンド片２には中央の折れ線Ｌ３を横切るように係合スリット２３が斜めに形成されている。これは、展示保持状態において背面側に反転させた開閉覆体部５Ｂを、スタンド片２に固定するためのものであり、開閉覆体部５Ｂの係合舌片５１がこの係合スリット２３に差し込まれる。すなわち、本実施の形態では、展示保持状態においてスタンド片２、基板部４、開閉覆体部５Ｂの三部材が舌片やスリットによる係合ないしは係止構造によって連結され、一体化構造を採るように構成されており、これによってスタンド（収納体１）の一年間の使用に耐え得る強度やスタンディング状態の安定性等を更に高めるようにしている。
【００２７】
そしてスタンド片２は、取り付け状態における高さ寸法が基板部４の１／３以上（ここでは約２／３程度）に設定されており、接地底部の奥行き、及び幅も比較的大きく設定されており、より安定した状態で収納体１を支持できるように構成されている。なおスタンド片２の接地底部が幅広状となるのは、基板部４との係止部（スタンド片係止スリット４１）を、下広がりのハの字状に形成したことに起因するものである。
このようにスタンド片２は、スタンド片２自体が有する形状からもたらされる特徴に加え、基板部４と組み合わされることによって、ループ状の頑強な支持構造を形成するものであり、本明細書において使用するループ状支持構造とは、これらの構成を包含した意味で使用するものである。
なお本実施の形態ではスタンド片２が基板部４とともに三角形状のループ状断面を成すように形成したが、必ずしも断面は、三角形状である必要はなく、円形、矩形、多角形等適宜の形状が可能である。
【００２８】
次に展示保持片３について説明する。このものは、主に冊子状の被収納体Ａを見開き状態で展示保持できるようにしたものである。展示保持片３は、一例として図２の展開図に示すように、細長の短冊状に打ち抜かれる板材であり、使用にあたっては、ほぼ真ん中の折れ線Ｌ４で折り曲げられ、左右の両端部を大きく離反させた状態で固定覆体部５Ａに取り付けられる。そして、固定覆体部５Ａと展示保持片３との間に被収納体Ａを挟持して、被収納体Ａを展示保持するようにしている。このような構成から、展示保持片３は、組み付け状態において、固定覆体部５Ａとともに展示保持片３の中央部が正面側にせり出した逆三角形状のループ構造を成すものであり、これによって、例えばスタンドとしての収納体１に背面側から風が吹き付けても前方への転倒を防止できるようにしている。もちろん、正面側に張り出す展示保持片３は、背面側に設けられたスタンド片２と相まって、より一層、スタンドとしての強度や安定性等を向上させるものである。また展示保持片３のほぼ中央部が正面側に張り出すことによって、冊子状の被収納体Ａ（例えばカレンダー）に記載されたスケジュールは隠れることがなく、常にユーザが目視できるものである。
【００２９】
そして展示保持片３を固定覆体部５Ａに取り付けるにあたっては、舌片とスリットによる係止構造を採るものである。具体的には、展示保持片３の左右両端下部に、一例として円弧状の係止舌片３１が形成され、一方の固定覆体部５Ａにはこれと係合するスリット（これを展示保持片係止スリット５３とする）が形成される。また、ここでも展示保持片３の係止舌片３１には、一旦嵌め込んだ後の抜け防止を図る抜止用スリット３２が、舌片の根元に形成されている。
なお固定覆体部５Ａに組み付けられた展示保持片３は、ユーザから見て略ハート型となり、意匠的な面白さを演出する効果もある。
【００３０】
また本実施の形態では、係止舌片３１の上部が半円状にくり抜き形成され、ここに被収納体Ａが載置されるため、この舌片上部を保持部３３とする。更に保持部３３の上方には前記半円状のくり抜きによって角部が形成され、ここが保持部３３に載置した被収納体Ａを押さえる保持爪３４となっている。また保持爪３４の上方、すなわち展示保持片３の左右両端上側の隅部には、被収納体Ａの挟み込み（受け入れ）を案内するコーナＲが形成され、これを挟持ガイド３５とする。
なお本実施の形態では、展示保持片３にペン置き機能が付加されるものであり、具体的には展示保持片３の上部に、一例として半円状の切り欠き部が形成され、ここにペンＰを載置できるように構成されている（ここをペンホルダ部３６とする）。
このような展示保持片３は、被収納体Ａを自立状態で保持できる自立保持構造として機能するものであり、更に後述する被収納体フレーム８、アダプタ片９、仕切壁１０等の他の構成の自立保持構造と組み合わせて使用することも、もちろん可能である。
【００３１】
〔２〕収納体の組み立て
次にこのような展開状態のブランク材Ｂをパッケージ状態、更には展示保持状態に形成する態様について説明する。
(i) ブランク状態からパッケージ状態
ブランク状態の収納体１をパッケージ状態に組み立てるには、まず固定覆体部５Ａを基板部４に対し向かい合わせ状態となるまで折り返し、収容部Ｓの下側部分を形成する（図３、４（ａ）参照）。この際、下端部フラップ７Ａを収容部Ｓの最も内側に入れ込むようにし、ここに保型内妻板６Ｂを重ね、更に、その上に保型外妻板６Ｃを重ねるようにする。そして保型外妻板６Ｃの係止舌片６１を保型内妻板６Ｂの係止スリット６２に外側から差し込み、固定覆体部５Ａと基板部４との接合を図る。なお固定覆体部５Ａと基板部４との接合は、その後の展示保持状態でも維持され、またユーザによる解除も必要としないため、係止舌片６１と抜止用スリット６３によって強固な係止構造を得るように構成され、これが収納部Ｓの強度アップ、ないしは形状維持向上等に寄与している。
【００３２】
以上のようにして固定覆体部５Ａを基板部４と対向状態に設置した後、上部が開放された収納部Ｓに、冊子状の被収納体Ａとともにスタンド片２及び展示保持片３等を収容する（図４（ｂ）参照）。この際、スタンド片２と展示保持片３は、二つ折り状態で収納部Ｓに入れ込まれるのが一般的な形態である。なお収納物は、被収納体Ａやその展示方法によって種々異なるものである（実施の形態２、３参照）。
【００３３】
目的の収納物を収容した後、今度は、開閉覆体部５Ｂを固定覆体部５Ａ側に折り曲げ、収納部Ｓを閉鎖する（図４（ｂ）参照）。この際、上端部フラップ７Ｂを収納部Ｓの最も内側に入れ込み、その上に基板部４の内重ね妻板６Ｅを重ね、更に、その上の最も外側に開閉覆体部５Ｂの外覆妻板６Ｆを重ねる。また、開閉覆体部５Ｂの係合舌片５１は、固定覆体部５Ａの係合スリット５２Ａに差し込むだけとし、各覆体部５の端縁部同士を重ね合わせる（図５参照）。
そして、本実施の形態では、図５の拡大図に示すように、最終的に外覆妻板６Ｆから基板部４の背面側に掛かるようにシールＳＥを貼り、開閉覆体部５Ｂを左右二カ所で固定する。もちろん最終的な開閉覆体部５Ｂの固定手段は、シールＳＥに限定されるものではなく、粘着テープや接着剤、あるいは両面テープ等の適用が可能である。
【００３４】
このように開閉覆体部５Ｂの接合でパッケージ状態は完成するが、例えば被収納体Ａが薄型である場合には、一例として図６に示すように、保型内妻板６Ｂと保型外妻板６Ｃとを、各折れ線Ｌ１、Ｌ２に沿って、収納部Ｓの内側に折り込み、収納部Ｓを偏平状態にすることが可能である。この場合、収納部Ｓを偏平させた分、上記図６の拡大図に示すように、天部妻板６Ｄを傾斜ないしは湾曲状態にして対応するとともに、開閉覆体部５Ｂの係合舌片５１を、固定覆体部５Ａの下側の係合スリット５２Ｂに嵌め込むものである。
【００３５】
(ii)パッケージ状態から展示保持状態
次にパッケージ状態の収納体１を、展示保持状態に形成する態様について説明する。これには、まず開閉覆体部５Ｂを固定していたシールＳＥを剥がすとともに、係合舌片５１を係合スリット５２から引き抜き、その後、開閉覆体部５Ｂを広開させ、収納部Ｓの上部を開放する。そして、この状態で、ダイアリー等の被収納体Ａやスタンド片２あるいは展示保持片３等を取り出し（図７参照）、基板部４や固定覆体部５Ａに取り付ける。
因みに図７では被収納体Ａとして二冊のダイアリーを図示しているが、例えばこれはカバーデザインの違う二種のダイアリーを提供することで、好みに合った方を携帯用とし、もう一方を卓上カレンダーとして使用できるという提案ないし配慮に基づくものである。
【００３６】
スタンド片２を取り付けるにあたっては、図８に示すように、スタンド片２の左右の係止舌片２１を、基板部４のスタンド片係止スリット４１に背面側から差し込むものであり、スタンド片２の係止状態は、係止舌片２１に形成された抜止用スリット２２によって維持される。またスタンド片２は、取り付け状態において基板部４とともに三角形状のループ状構造を成すものであり、この構造がスタンド片２の高さ寸法及び取り付け角度等に組み合わさって、頑強なループ状支持構造を形成し、スタンドとしての強度を高めている。更にスタンド片２は取り付け状態において、全体的に底部が机等に接地するように設定され、これにより安定した載置状態が得られるものである。またスタンド片２は、取り付け状態における高さ寸法が基板部４の１／３以上（ここでは約２／３程度）に設定されており、更に接地底部の奥行き及び幅寸法も比較的大きく設定され、より安定した状態で収納体１を支持できるように構成されている。
【００３７】
スタンド片２を基板部４に取り付けた後、今度は、図９（ａ）に示すように、開閉覆体部５Ｂを背面側に反転させ、その係合舌片５１をスタンド片２の係合スリット２３に差し込み、開閉覆体部５Ｂをスタンド片２に固定する。この際、一旦係合スリット２３に挿入した係合舌片５１は、比較的抜け難い傾向にある。これは、スタンド片２の係合スリット２３をブランク状態において直線的に形成すると、組み付け状態では、この係合スリット２３が幾分湾曲ないしは折れ曲がり、三次元的に変形した状態となり、ここに、ほぼフラットな係合舌片５１が挿入されると、係合舌片５１は係合スリット２３の形状に従うように三次元的に変形させられ、このために抜け止め効果が生ずると考えられる。また係合スリット２３に嵌め込まれた係合舌片５１を抜き取るには、開閉覆体部５Ｂを前方側に回転させるものであるが、本実施の形態では開閉覆体部５Ｂの端縁部が斜めに形成されていることに因み、係合舌片５１の回転半径が幅方向各部で種々異なり、これも係合舌片５１の抜け止めに寄与しているものと考えられる。なお上記図９（ｂ）に、係合舌片５１の回転半径が異なる様子を二種の回転半径Ｒ１、Ｒ２によって図示している。
【００３８】
このように本実施の形態では、展示保持状態においては、スタンド片２を基板部４に取り付けるのはもちろんのこと、開閉覆体部５Ｂとも係合させるものであり、これによってスタンド片２、基板部４、開閉覆体部５Ｂの三部材の一体化を図っている。このためスタンドとしての収納体１の強度や剛性、あるいはスタンディング状態の安定性等を、より一層向上させるようにしている。
【００３９】
また前記スタンド片２の取り付けに前後して、収納体１の正面側に展示保持片３が取り付けられる。これには展示保持片３の左右の係止舌片３１を固定覆体部５Ａの展示保持片係止スリット５３に差し込むものであり、展示保持片３の係止状態は、係止舌片３１に形成された抜止用スリット３２によって維持される（図１０参照）。このように展示保持片３は、組み付け状態において、固定覆体部５Ａとともに展示保持片３の中央部が正面側に突出した逆三角形状のループ状構造を成すものであり、これによって、例えば背面側から風が当たっても正面側方への転倒が効果的に防止される。もちろん、正面側に張り出した展示保持片３は、背面側に設けられたスタンド片２と相まって、より一層、スタンドとしての強度や安定性を向上させるものである。また展示保持片３のほぼ中央部が正面側に突出することによって、冊子状の被収納体Ａ（例えばカレンダー）が隠されることなく、見やすくなるものである。
【００４０】
その後、冊子状の被収納体Ａを、展示保持片３と固定覆体部５Ａとの間隙に、上方から見開き状態で入れ込み、左右二カ所の保持部３３に載置する（図１（ｂ）参照）。その際、本実施の形態では挟持ガイド３５が形成されているため、被収納体Ａの入れ込みが円滑に行え、また入れ込んだ後の被収納体Ａは、保持爪３４によって所望頁が見開き状態で確実に保持されるものである。
また本実施の形態では、展示保持片３にペンホルダ部３６が形成されているため、ここに適宜ペンＰが載置される。なお図１（ｂ）ではペンＰを二カ所のペンホルダ部３６によって、ほぼ水平に載置した状態を図示したが、ペンＰは必ずしも、ほぼ水平に載置する必要はなく、例えば一方のペンホルダ部３６のみにペンＰを載せ、ペン先を卓上に接地させるような載せ方も適宜採り得る。
【００４１】
なお本実施の形態では、主に見開き状態で使用する冊子状カレンダー、ダイアリー等の被収納体Ａを例に挙げたが、この種の被収納体Ａは、例えば販促用のグッズとしてユーザに配付することがある。しかしながら、ユーザ側では、もらった物にわざわざ専用のスタンドを用意することが、ほとんどないため、通常、このような冊子状カレンダー等は、重ね折られた状態で保管されることが多く、充分利用されていない現状がある。このような場合に、本発明の収納体１でユーザに配送すれば、配送に使用したパッケージ（収納体１）を再利用して、見開き状態で冊子状カレンダー等を展示するスタンドができ、グッズ及びパッケージの有効利用が図れるものである。
【００４２】
（２）実施の形態２
この形態は、主に絵葉書に代表されるフォトカードやポストカード、卓上カレンダー等、そのままでは前記展示保持片３に載置できない幅狭状のカードタイプの被収納体Ａを展示保持できるようにした形態であり、言わばカードケースとして収納体１を使用するものである。すなわち絵葉書や通常の大きさの写真等を被収納体Ａとした場合、この幅寸法が収納体１の幅寸法（正確には展示保持片３の保持部３３の幅寸法）よりも短い場合には、そのままでは被収納体Ａを展示保持片３に載せて展示保持することができない。本実施の形態は、このような幅狭状の被収納体Ａでも展示保持できるようにしたものである。
【００４３】
この形態における、被収納体Ａ以外の基本的な構成要素は、一例として図１１に示すように、収納体１と、スタンド片２と、カード状の被収納体Ａを固定する被収納体フレーム８と、被収納体フレーム８を収納部Ｓの正面側に設置するためのアダプタ片９であり、本実施の形態では、これに展示保持片３を加えた構成を例にとって説明する。なお収納体１、スタンド片２、展示保持片３については、前記実施の形態１と同様であるため、詳細な説明は省略し、ここでは被収納体フレーム８と、アダプタ片９について以下説明する。
【００４４】
まず被収納体フレーム８について説明する。このものは、紙や樹脂等によって、被収納体Ａであるカードよりも一回り大きいサイズに形成された平板状部材である。そして、この被収納体レーム８には、例えば四隅に係合スリット８１が形成され、ここに被収納体Ａのコーナ部を嵌め込み、被収納体Ａを被収納体フレーム８に固定できるようにしている。因みに被収納体Ａのコーナ部の差し込みは、コーナ部が四カ所ある場合、二つの対角線のうち、いずれか一方の対角線の二カ所を差し込めば被収納体フレーム８に対する固定が充分行い得るものと考えられる。
【００４５】
次にアダプタ片９について説明する。このものは、固定覆体部５Ａの正面側に設置される部材であり、本実施の形態では、展示保持片３を利用し、このものの左右の保持部３３を掛け渡し状態でつなぎ、被収納体フレーム８を展示保持する部材として使用する。アダプタ片９は、一例として図１１に示すように、左右両端に略半円状の係止舌片９１が形成され、この根元内側部分に保持部３３に係止する係止スリット９２が形成される。また中央部には被収納体Ａの下端縁を挟み込む挟持スリット９３が形成される。更に、この挟持スリット９３の左右両端に、被収納体Ａの下端部分を左右二カ所で保持（支承）できる支持フラップ９４が形成されている。なおこの支持フラップ９４は、必要に応じて起こすように折り返して使用するものである。また、挟持スリット９３の上部には、被収納体フレーム８との接触部分に、両面テープ９５を貼付しておくものであり、これは、被収納体フレーム８とアダプタ片９とを固定するためのものである。もちろんこの両面テープ９５も適宜使用すれば良いものであるが、例えばカード（被収納体Ａ）を縦置きで展示したい場合には、挟持スリット９３や支持フラップ９４だけでは、被収納体Ａがまだ不安定であることが考えられるため、このような場合に両面テープ９５の剥離紙を剥がし、予め被収納体フレーム８とアダプタ片９とを両面テープ９５によって一体化させておくものである。
【００４６】
なおアダプタ片９は、下端縁が卓上などの載置面に接地するように取り付けることが強度、安定性の点で望ましい。
またこのような被収納体フレーム８やアダプタ片９は、収納体１等のブランク取りに合わせて打ち抜くことが可能である。
更にこの実施の形態の場合、被収納体Ａがカードや写真である場合が多く、このため実施の形態１で述べたカレンダー等の冊子状の被収納体Ａとは異なり、スケジュール等の記載がほとんど必要ないことが考えられる。このためペン置き機能としての展示保持片３は省略し、アダプタ片９の両端の係止舌片９１を固定覆体部５Ａの展示保持片係止スリット５３に差し込む等の構成も採り得る。
また被収納体フレーム８は、被収納体Ａ（カード）の縦位置と横位置とが適宜選択可能であり、上述したように両面テープ９５による固定を基本とするが、単にアダプタ片９上に載置して展示保持する形態も可能である。
【００４７】
なおペン置き機能としての展示保持片３を省略するような場合には、一例として図１２に示すように、天部妻板６Ｄにペンホルダ部３６Ａを設けても構わない。この場合、一年にわたる長期の使用に耐えられるよう、ペンホルダ部３６Ａは、図示するように、フランジの付いたスリーブ状の部材を差し込んで天部妻板６Ｄを保護するような形態が好ましい。もちろん、この場合には、予めスリーブ状のペンホルダ部３６Ａを被収納体Ａとともに収納部Ｓに収容しておくものである。なお天部妻板６Ｄをペンホルダとして利用する形態は、幅狭のカード状の被収納体Ａを展示保持する形態、つまり天部妻板６Ｄが被収納体Ａによって隠されず、ペンホルダ部３６Ａがスタンド（収納体１）の正面から目視できる場合に好適と考えられるが、必ずしもカード状の被収納体Ａを展示する場合に限定されるものではない。
【００４８】
（３）実施の形態３
この形態は、色鉛筆、絵の具、カラーマーカーペン、スティック状のコーヒーや砂糖、口紅など主に棒状の被収納体Ａを直立状態で展示保持できるようにした形態であり、例えば収納体１をペンケース等として使用する形態である。そして、この形態における、被収納体Ａ以外の基本的な構成要素は、一例として図１３に示すように、収納体１と、スタンド片２と、棒状の被収納体Ａを直立状態で保持する、自立保持構造の一例である仕切壁１０である。なお収納体１、スタンド片２については、前記実施の形態１と同様であるため、詳細な説明は省略し、ここでは仕切壁１０について以下説明する。
【００４９】
仕切壁１０は、収納部Ｓを横方向（幅方向）に複数の空間に仕切る部材であり、ここでは一例として図１３に示すように、一枚の板状部材が収納部Ｓの幅寸法及び奥行き寸法内においてジグザグ状に折り返され、全体的に蛇腹状を成すように形成される。そして仕切壁１０は、収納部Ｓに収めた状態で外観的に目立たないように、固定覆体部５Ａからはみ出ないように形成される。なお仕切壁１０によって仕切られた個々の空間をセル１０１とし、ここには棒状の被収納体Ａを直立姿勢で収容するものである。
【００５０】
因みに被収納体Ａを各セル１０１に入れるにあたっては、前列もしくは後列のセル１０１のみに収容しても構わないし、前後両方のセル１０１に収容しても構わない。なお図１３の拡大平面図では、前列に収容された被収納体Ａを実線で図示し、後列に収容された被収納体Ａを二点鎖線で図示している。また図１３の斜視図では、被収納体Ａがペン等の棒状部材であることに因み、収納部Ｓ（収納体１）を全体的に縦長状に図示している。なおセル１０１のピッチは、被収納体Ａを直立状態で維持できるように適宜設定されるものである。
また仕切壁１０は、このように収納部空間を複数の空間に区分けするものであるため、被収納体Ａの分離、保持作用に加え、梱包時における収納体１の強度アップにも貢献するものである。
なお本実施の形態においても、展示保持片３を設けることは可能であり、その場合には展示保持片３と仕切壁１０とによって自立保持構造が形成されることとなる。
【００５１】
【他の実施の形態】
本発明は以上述べた実施の形態を基本的な技術思想とするものであるが、更に実際の使用にあたっては以下に述べる部分的な構成の変更も可能である。すなわち先に述べた基本的な実施の形態では、主に印刷コスト低減の目的から収納体１等のブランク材Ｂには比較的薄口の素材を使用するものであり、これに因み、個々の部材の剛性を確保すべく、スタンド片２を収納体１とは別個に形成し、被収納体Ａとともに収納部Ｓに収容しておくものであった。
しかしながら、スタンド片２Ａは、必ずしも収納体１と別個に形成する必要はなく、例えば図１４に示すように、基板部４の一部を切り出して形成することが可能である。この場合、予め基板部４の一部にミシン目Ｍ１を入れておき、ここを破ってスタンド片２Ａを切り出し、折れ線Ｌ７で背面側に折り曲げて展示保持状態に形成するものである。
【００５２】
またミシン目Ｍ１は、スタンド片２Ａを背面側に折り曲げた際、その底部が、載置面に全体的に接地し得るように基板部４裏面の下辺まで入れておくことが好ましい。更に左右両方のスタンド片２Ａは、背面側に折り曲げた際に当接させるため、その当接部位には予め係止舌片２６と係止スリット２７が形成されるものである。これによって、本実施の形態においても組み付け状態においてスタンド片２Ａが、基板部４とともにループ状支持構造を成すように考慮している。また本実施の形態では、開閉覆体部５Ｂの係合舌片５１の両側部分に係止スリット５６を形成するとともに、左右のスタンド片２Ａの上部に、これに対応する係止スリット２８が形成され、展示保持状態においては、これらを係止させて、基板部４、スタンド片２Ａ、開閉覆体部５Ｂの三部材の一体化を図るようにしている。
【００５３】
また図１５に示す実施の形態は、ペン置き機能を有しない展示保持片３Ａを固定覆体部５Ａから切り出すようにした実施の形態である。この場合も、予め固定覆体部５Ａの一部にミシン目Ｍ２を入れておき、ここを破って展示保持片３Ａを切り出してから、折れ線Ｌ８で正面側に折り曲げて保持部３３Ａを形成し、ここに被収納体Ａを載置するものである。またこの場合、展示保持片３Ａのみに被収納体Ａの荷重が掛からないように、展示保持片３Ａの下端部が載置面に接地するように形成することが好ましい。なおここでは折れ線Ｌ８を正面から視てハの字状になるように形成し、展示保持片３Ａの下端部が接地するようにしている。もちろん展示保持片３Ａの下端部を接地させることは、スタンドとしての収納体１の前方への倒れを防止し得る効果もある。
【００５４】
更にまた図１６に示す実施の形態は、ペン置き機能を付随した展示保持片３Ｂを覆体部５から左右両側に切り出せるようにした実施の形態である。この形態では、予め収納体１のブランクシートを固定覆体部５Ａの方に少し長めに形成するものである。具体的には、図示するように固定覆体部５Ａの先端傾斜部側に、この傾斜線を対称軸とするような新たな固定覆体部を線対称状態に連設するものである。つまり固定覆体部を二重に構成し、新たな固定覆体部は収納部Ｓの内側に折り返して使用するものである。なお、二つの固定覆体部を収納部Ｓの外側と内側で区別する必要がある場合には、アウター側のものをそのまま固定覆体部５Ａ、インナー側のものを固定覆体部５Ｃとする。
このような構成によって、各々の固定覆体部５Ａ、５Ｃに形成されている展示保持片３Ｂを観音開き状に正面側に折り曲げ得る構成とする。ここで図中符号Ｍ３は予め各々の固定覆体部５Ａ、５Ｃに入れられるミシン目を示し、Ｌ９は展示保持片３Ｂを正面側に折り曲げる際の折れ線を示すものである。
【００５５】
また観音開き状の展示保持片３Ｂには、先端同士で係止させ、ループ状の連結状態を得る係止スリット３９が各々形成されている。更に図中のハッチング部分は、被収納体Ａを安定的に載置する保持部３３Ｂや保持爪３４Ｂ等を形成するために切り取る部分である。この部分にもミシン目Ｍ３を入れておき、展示保持片３Ｂの切り出し（組み立て）時に取り除くものである。
なお図１６では、インナー側の固定覆体部５Ｃを展開した状態で図示しているが、実際にはブランク状の収納体１をパッケージ状態に組み立てる際に、先に折り返しておくものである。
もちろん、このように固定覆体部を二重に形成することは、収納体１の強度アップ、頑強なスタンド構造等を得る利点もある。なお図中符号３６Ｂは、この実施の形態におけるペンホルダ部を示している。
【００５６】
また上記図１〜１６に示した実施の形態は、収納部Ｓの周囲を基板部４、覆体部５、妻板６等の剛性部材で覆い、収納体１をケース状に形成したものである。しかしながら、収納体１は必ずしもケース状に形成される必要はなく、例えば図１７に示すように、基板部４Ａを剛性のある紙や樹脂等の板材で形成し、覆体部５Ｆを剛性のないフィルム素材で形成することが可能である。そして収納体１Ａを得るにあたっては、基板部４Ａ上にスタンド片２、展示保持片３、ダイアリー等の被収納体Ａを重ね合わせた後、フィルム素材から成る覆体部５Ｆによって、全体的に覆い、シュリンク包装等によって一体化するものである。もちろん、この収納体１Ａを展示保持状態にする場合には、覆体部５Ｆは使用せず、基板部４Ａにスタンド片２や展示保持片３を取り付けるため、基板部４Ａには、これらを固定するためのスタンド片係止スリット４１や展示保持片係止スリット５３が予め形成されている。なお、この場合、収納体１Ａは、商品のイメージアップを図るパッケージ作用というよりも、むしろ配送時のパッケージ作用としての方が大きいと考えられるが、このような形態も総括的には収納体１に包含されるものである。
【００５７】
また被収納体Ａとしては、以上述べたものの他、ハンカチやネクタイ、靴下、靴、時計、ＣＤ、ＤＶＤ等、種々の物品が選択できる。そして、これらの物品を被収納体Ａとして使用した場合には、今まで個装用のパッケージとして使用されていた収納体１が、その姿を変え、商品ケース等の上に載置されるディスプレイスタンドとして生まれ変わり、新たな役割を担うこととなる。この場合には、その使用に見合うだけの高度な装飾性やデザイン性が収納体１に求められることは言うまでもない。
【００５８】
【発明の効果】
本発明によれば、収納体１を傾斜状態に支持するスタンド片２を、基板部４に対して充分な高さを有するように形成し、また底部を幅広状に形成するとともに載置面に全体的に接地させるものである。そして、このようなスタンド片２を収納体１の裏面すなわち基板部４に取り付けて固定するため、スタンド片２は、基板部４とともに頑強なループ状支持構造を形成し、比較的薄口のブランク用紙によって収納体１を形成しても、スタンドとしての強度を強化することができ、安定した支持姿勢を確保することができる。
また展示保持状態において実質的に収納部Ｓの蓋部を成す開閉覆体部５Ｂを、背面側に反転させスタンド片２に連結すれば、スタンド片２、基板部４、開閉覆体部５Ｂの三部材を一体化でき、スタンドとして更なる構造的な強度アップが図れ、また一層スタンディング状態を安定したものとする。
【００５９】
また自立保持構造としての展示保持片３を、収納体１（固定覆体部５Ａ）の正面側に張り出すようにループ状に形成すれば、背面から風が吹いてもスタンドの前方への転倒を防止でき、より一層スタンディング状態を安定的なものとする。また展示保持片３等に、ペンホルダ部３６を形成すれば、スケジュール等を記入することが多い被収納体Ａの用途に合わせて、適宜ペンＰを置くこともできる。
また固定覆体部５Ａの正面側に設置されるアダプタ片９を、例えば展示保持片３に掛け渡すように取り付けることによって、そのままでは展示保持片３の保持部３３に載らない、幅狭状のカード状の被収納体Ａでも展示することができる。
また収納部Ｓを横方向に複数の空間（セル１０１）に区切る仕切壁１０を適用することによって、棒状の被収納体Ａを直立状態で展示することも可能となる。
【図面の簡単な説明】
【図１】本発明の卓上スタンド機能を具えた収納体のパッケージ状態（ａ）と、展示保持状態（ｂ）を示す斜視図である。
【図２】一枚のシート状部材から収納体、スタンド片、展示保持片をブランク取りした状態を示す展開図である。
【図３】ブランク状態の収納体をパッケージ状態に組み立てる様子を段階的に示す斜視図である。
【図４】ブランク状態の収納体をパッケージ状態に組み立てる様子を段階的に示す斜視図である。
【図５】ブランク状態の収納体をパッケージ状態に組み立てる様子を示す斜視図である。
【図６】被収納体の肉厚が薄い場合に、保型内妻板と保型外妻板とを収納部の内側に折り込み、収納体の厚さを変えられるようにしたパッケージ状態を示す斜視図である。
【図７】パッケージ状態の収納体を展示保持状態に組み立てる様子を示すものであって、収納部から被収納体、スタンド片、展示保持片等を取り出した様子を示す斜視図である。
【図８】収納体を展示保持状態に組み立てる様子を示すものであって、基板部にスタンド片を取り付ける様子を示す斜視図である。
【図９】収納体を展示保持状態に組み立てる様子を示すものであって、開閉覆体部を背面側に反転させて、スタンド片に取り付ける様子を示す側面図（ａ）並びに背面図（ｂ）である。
【図１０】収納体を展示保持状態に組み立てる様子を示すものであって、展示保持片を固定覆体部に取り付ける様子を示す斜視図である。
【図１１】本発明の収納体を主にカードケース等として使用した実施の形態、つまり、そのままでは展示保持片に載置できないような幅狭のカード状部材を被収納体として適用した実施の形態における展示保持状態を示す斜視図である。
【図１２】上部妻板に、フランジを有したスリーブ状のペンホルダ部を形成した実施の形態を示す斜視図である。
【図１３】本発明の収納体を主にペンケース等として使用した実施の形態、すなわち棒状の被収納体を直立状態で展示保持できるようにした実施の形態における展示保持状態を示す斜視図である。
【図１４】スタンド片を基板部から切り出して形成するようにした他の実施の形態を示す斜視図である。
【図１５】ペン置き機能を有しない展示保持片を、固定覆体部から切り出して形成するようにした他の実施の形態を示す斜視図である。
【図１６】収納部の内側にもう一枚の固定覆体部を折り込み、二重に形成した固定覆体部から、ペン置き機能付きの展示保持片を観音開き状に切り出して形成するようにした他の実施の形態を示す斜視図である。
【図１７】被収納体、スタンド片、展示保持片等を板状の基板部に重ね、これをフィルム状の覆体部でシュリンク包装することにより、包装体を形成するようにした、他の実施の形態を示す説明図である。
【符号の説明】
１        収納体
１Ａ      収納体（包装）
２        スタンド片
２Ａ      スタンド片（切り出し用）
３        展示保持片
３Ａ      展示保持片（切り出し用、ペン置き機能無し）
３Ｂ      展示保持片（切り出し用、ペン置き機能付き）
４        基板部
４Ａ      基板部
５        覆体部
５Ａ      固定覆体部（アウター）
５Ｂ      開閉覆体部
５Ｃ      固定覆体部（インナー）
５Ｆ      覆体部（フィルム部材）
６        妻板
６Ａ      底部妻板
６Ｂ      保型内妻板
６Ｃ      保型外妻板
６Ｄ      天部妻板
６Ｅ      内重ね妻板
６Ｆ      外覆妻板
７        フラップ
７Ａ      下端部フラップ
７Ｂ      上端部フラップ
８        被収納体フレーム
９        アダプタ片
１０      仕切壁
２１      係止舌片（基板部との）
２２      抜止用スリット
２３      係合スリット（開閉覆体部との）
２６      係止舌片（左右）
２７      係止スリット（左右）
２８      係止スリット（上部）
３１      係止舌片（固定覆体部との）
３２      抜止用スリット
３３      保持部
３３Ａ    保持部
３３Ｂ    保持部
３４      保持爪
３４Ｂ    保持爪
３５      挟持ガイド
３６      ペンホルダ部
３６Ａ    ペンホルダ部
３６Ｂ    ペンホルダ部
３９      係止スリット
４１      スタンド片係止スリット
５１      係合舌片
５２      係合スリット（開閉覆体部との）
５３      展示保持片係止スリット（展示保持片との）
５６      係止スリット（開閉覆体部との）
６１      係止舌片
６２      係止スリット
６３      抜止用スリット
８１      係合スリット
９１      係止舌片
９２      係止スリット
９３      挟持スリット
９４      支持フラップ
９５      両面テープ
１０１    セル
Ａ        被収納体
Ｂ        ブランク材
Ｌ        折れ線
Ｌ１      折れ線
Ｌ２      折れ線
Ｌ３      折れ線
Ｌ４      折れ線
Ｌ７      折れ線
Ｌ８      折れ線
Ｌ９      折れ線
Ｍ１      ミシン目
Ｍ２      ミシン目
Ｍ３      ミシン目
Ｐ        ペン
Ｒ１      回転半径
Ｒ２      回転半径
Ｓ        収納部
ＳＥ      シール
【図１】
2004189330.tif 000003
【図２】
2004189330.tif 000004
【図３】
2004189330.tif 000005
【図４】
2004189330.tif 000006
【図５】
2004189330.tif 000007
【図６】
2004189330.tif 000008
【図７】
2004189330.tif 000009
【図８】
2004189330.tif 000010
【図９】
2004189330.tif 000011
【図１０】
2004189330.tif 000012
【図１１】
2004189330.tif 000013
【図１２】
2004189330.tif 000014
【図１３】
2004189330.tif 000015
【図１４】
2004189330.tif 000016
【図１５】
2004189330.tif 000017
【図１６】
2004189330.tif 000018
【図１７】
2004189330.tif 000019